(57)【要約】【課題】  ダストフィルタの詰まりあるいはセンサの劣化を検知して校正誤差を防止出来るジルコニア酸素計を実現する。【解決手段】  校正時にダストフィルタの詰まりを検出するジルコニア酸素計において、  前回校正時の検量線のデータをメモリするメモリ手段と、今回校正時の検量線を演算し前記メモリ手段の前回校正時の検量線と比較して前回校正時の検量線に対して略平行に所定量シフトした場合にダストフィルタの詰まりと判断する詰まり判断手段とを具備したことを特徴とするジルコニア酸素計である。【選択図】                    図１
2005106494.tif 000002
【特許請求の範囲】
【請求項１】
校正時にダストフィルタの詰まりを判断するジルコニア酸素計において、
前回校正時の検量線のデータをメモリするメモリ手段と、
今回校正時の検量線を演算し前記メモリ手段の前回校正時の検量線と比較して前回校正時の検量線に対して略平行に所定量シフトした場合にダストフィルタの詰まりと判断する詰まり判断手段と
を具備したことを特徴とするジルコニア酸素計。
【請求項２】
校正時にセンサの劣化を判断するジルコニア酸素計において、
前回校正時の検量線のデータをメモリするメモリ手段と、
今回校正時の検量線を演算し前記メモリ手段の前回校正時の検量線と比較して前回校正時の検量線の勾配に対して勾配が所定量変化した場合にセンサの劣化と判断する劣化判断手段と
を具備したことを特徴とするジルコニア酸素計。
【請求項３】
前記校正時のダストフィルタの詰まりあるいはセンサの劣化の判断をするジルコニア酸素計において、
前回校正時の検量線のデータをメモリするメモリ手段と、
今回校正時の検量線を演算し前記メモリ手段の前回校正時の検量線と比較して前回校正時の検量線に対して略平行に所定量シフトした場合にダストフィルタの詰まりと判断する詰まり判断手段と、
前回校正時の検量線の勾配に対して勾配が所定量変化した場合にセンサの劣化と判断する劣化判断手段と
を具備したことを特徴とするジルコニア酸素計。
【請求項４】
前記校正時のダストフィルタの詰まりあるいはセンサの劣化の判断は所定期間毎に行われること
を特徴とする請求項１乃至請求項３の何れかに記載のジルコニア酸素計。
【請求項５】
前記校正時のダストフィルタの詰まりあるいはセンサの劣化の判断は所定期間毎に自動的に行われること
を特徴とする請求項１乃至請求項３の何れかに記載のジルコニア酸素計。
【請求項６】
前記判断手段からの信号に基づき前記ダストフィルタの詰まりあるいはセンサの劣化の警報を発する警報発生手段
を具備したことを特徴とする請求項１乃至請求項５の何れかに記載のジルコニア酸素計。
【請求項７】
前記判断手段からの信号に基づき前記ダストフィルタの詰まりあるいはセンサの劣化の警報を表示する警報表示手段
を具備したことを特徴とする請求項１乃至請求項６の何れかに記載のジルコニア酸素計。
【発明の詳細な説明】
【技術分野】
【０００１】
本発明は、ダストフィルタの詰まりあるいはセンサの劣化を検知して校正誤差を防止出来るジルコニア酸素計に関するものである。
【背景技術】
【０００２】
ジルコニア酸素計に関連する先行技術文献としては次のようなものがある。
【非特許文献１】横河電機株式会社発行、General  Specifications、「ＺＲ２２Ｇ，ＺＲ４０２          Ｇ  直接挿入形  分離型ジルコニア式高温湿度計」、２００３年５月  ３版、
【０００３】
炉内中の酸素濃度を測定するジルコニア酸素計で、検出器のジルコニアセル部は、炉内の煤塵の影響でジルコニアセルの寿命が短くなったり、応答性にも影響を与える。
多くのメーカは煤塵対策としてジルコニアセルを保護するために微粒子を焼結した材料もしくはセラミック製フィルタを使用している。
【０００４】
図３はこのような従来のジルコニア酸素計の一例を示す要部構成説明図である。
図において、１はジルコニア酸素計の検出器、２はジルコニア酸素計の変換器である。
３は自動校正ユニットで、検出器１に比較ガスＡと校正ガスＢとを供給する。
検出器１の先端には、ダストフィルタ（図示せず）が取り付けられて、検出器１のジルコニアセルを保護している。
【０００５】
以上の構成において、校正時には、検出器１に校正ガスＢが導入されて、検出器１の校正が行われる。
即ち、酸素濃度Ｐ１のスパンガスが導入された場合のジルコニアセルのセル起電力と、酸素濃度Ｐ２のゼロガスが導入された場合のジルコニアセルのセル起電力とから補正前検量線が求められる。
この補正前検量線は理論値に基づく理論検量線と一致するように補正される。
【発明の開示】
【発明が解決しようとする課題】
【０００６】
しかしながら、このような装置においては、使用時間と共にそのフィルタメッシュには煤塵により目詰まり起こし、応答が遅くなる。
また、校正時、既知濃度の校正ガスがジルコニアセルに導入される。
ジルコニア酸素計は校正ガスの酸素濃度に相応するジルコニアセルの出力を与える。
通常、きれいなフィルタでは、校正ガスの導入により発生したガス圧力は殆ど無視できる。
【０００７】
しかし、フィルタが目詰まりした状態で校正を実施すると、校正ガスの流速によりジルコニアセル部は加圧された状態になり、実際の酸素濃度より高い指示値を示す。
そのため校正データに誤差が生じる。
これを防ぐためにはダストフィルタの洗浄等の保守が必要になる。
このダストフィルタの洗浄等の保守の時期は判断し難い。
また、センサの劣化も判断が難しい。
【０００８】
本発明の目的は、上記の課題を解決するもので、ダストフィルタの詰まりあるいはセンサの劣化を検知して校正誤差を防止出来るジルコニア酸素計を提供することを目的とする。
【課題を解決するための手段】
【０００９】
このような課題を達成するために、本発明では、請求項１のジルコニア酸素計においては、
校正時にダストフィルタの詰まりを判断するジルコニア酸素計において、
前回校正時の検量線のデータをメモリするメモリ手段と、今回校正時の検量線を演算し前記メモリ手段の前回校正時の検量線と比較して前回校正時の検量線に対して略平行に所定量シフトした場合にダストフィルタの詰まりと判断する詰まり判断手段とを具備したことを特徴とする。
【００１０】
本発明の請求項２においては、
校正時にセンサの劣化を判断するジルコニア酸素計において、
前回校正時の検量線のデータをメモリするメモリ手段と、今回校正時の検量線を演算し前記メモリ手段の前回校正時の検量線と比較して前回校正時の検量線の勾配に対して勾配が所定量変化した場合にセンサの劣化と判断する劣化判断手段とを具備したことを特徴とする。
【００１１】
本発明の請求項３においては、
前記校正時のダストフィルタの詰まりあるいはセンサの劣化の判断をするジルコニア酸素計において、
前回校正時の検量線のデータをメモリするメモリ手段と、今回校正時の検量線を演算し前記メモリ手段の前回校正時の検量線と比較して前回校正時の検量線に対して略平行に所定量シフトした場合にダストフィルタの詰まりと判断する詰まり判断手段と、前回校正時の検量線の勾配に対して勾配が所定量変化した場合にセンサの劣化と判断する劣化判断手段とを具備したことを特徴とする。
【００１２】
本発明の請求項４においては、請求項１乃至請求項３の何れかに記載のジルコニア酸素計において、
前記校正時のダストフィルタの詰まりあるいはセンサの劣化の判断は所定期間毎に行われることを特徴とする。
【００１３】
本発明の請求項５においては、請求項１乃至請求項３の何れかに記載のジルコニア酸素計において、
前記校正時のダストフィルタの詰まりあるいはセンサの劣化の判断は所定期間毎に自動的に行われることを特徴とする。
【００１４】
本発明の請求項６においては、請求項１乃至請求項５の何れかに記載のジルコニア酸素計において、
前記判断手段からの信号に基づき前記ダストフィルタの詰まりあるいはセンサの劣化の警報を発する警報発生手段を具備したことを特徴とする。
【００１５】
本発明の請求項７においては、請求項１乃至請求項６の何れかに記載のジルコニア酸素計において、
前記判断手段からの信号に基づき前記ダストフィルタの詰まりあるいはセンサの劣化の警報を表示する警報表示手段を具備したことを特徴とする。
【発明の効果】
【００１６】
本発明の請求項１によれば、次のような効果がある。
ダストフィルタの詰まりを検知して校正誤差を防止出来るジルコニア酸素計が得られる。
ダストフィルタの保守時期を容易に知ることが出来るジルコニア酸素計が得られる。
【００１７】
本発明の請求項２によれば、次のような効果がある。
センサの劣化を検知して校正誤差を防止出来るジルコニア酸素計
センサの保守時期を容易に知ることが出来るジルコニア酸素計が得られる。
【００１８】
本発明の請求項３によれば、次のような効果がある。
ダストフィルタの詰まりあるいはセンサの劣化を検知して校正誤差を防止出来るジルコニア酸素計が得られる。
ダストフィルタとセンサの保守時期を容易に知ることが出来るジルコニア酸素計が得られる。
【００１９】
本発明の請求項４によれば、次のような効果がある。
校正時のダストフィルタの詰まりあるいはセンサの劣化の判断は所定期間毎に行われるようにしたので、ダストフィルタの詰まりあるいはセンサの劣化の判断は所定期間毎に行われ、測定精度を維持出来るジルコニア酸素計が得られる。
【００２０】
本発明の請求項５によれば、次のような効果がある。
校正時のダストフィルタの詰まりあるいはセンサの劣化の判断は所定期間毎に自動的に行われるようにしたので、自動的にダストフィルタの詰まりあるいはセンサの劣化の判断がおこなわれ、操作、判断の手間が省け、測定精度を維持出来るジルコニア酸素計が得られる。
【００２１】
本発明の請求項６によれば、次のような効果がある。
判断手段からの信号に基づき、ダストフィルタの詰まりあるいはセンサの劣化の警報を発する警報発生手段が設けられたので、装置を監視する必要はなく、警報により、直ちに対処し易く操作が容易なジルコニア酸素計が得られる。
【００２２】
本発明の請求項７によれば、次のような効果がある。
判断手段からの信号に基づき、ダストフィルタの詰まりあるいはセンサの劣化の警報を表示する警報表示手段が設けられたので、装置を監視する必要はなく、また、騒音の大きな環境においても、直ちに対処し易く操作が容易なジルコニア酸素計が得られる。
【発明を実施するための最良の形態】
【００２３】
以下本発明を図面を用いて詳細に説明する。
図１は本発明の一実施例の要部構成説明図、図２は図１の動作説明図である。
図において、図３と同一記号の構成は同一機能を表す。
以下、図３と相違部分のみ説明する。
【００２４】
図において、メモリ手段１１は、変換器２に設けられ、前回校正時の検量線のデータをメモリする。
詰まり判断手段１２は、変換器２に設けられ、今回校正時の検量線を演算し、メモリ手段１１の前回校正時の検量線と比較して、前回校正時の検量線に対して略平行に所定量シフトした場合にダストフィルタの詰まりと判断する。
【００２５】
劣化判断手段１３は、変換器２に設けられ、前回校正時の検量線の勾配に対して勾配が所定量変化した場合にセンサの劣化と判断する。
なお、詰まり判断手段１２と劣化判断手段１３とは一個の回路に組み込まれても良い。
警報発生手段１４は、変換器２に設けられ、詰まり判断手段１２あるいは劣化判断手段１３からの信号に基づき、ダストフィルタの詰まりあるいはセンサの劣化の警報を発する。
【００２６】
警報表示手段１５は、変換器２に設けられ、詰まり判断手段１２あるいは劣化判断手段１３からの信号に基づき、ダストフィルタの詰まりあるいはセンサの劣化の警報を表示する。
なお、校正時のダストフィルタの詰まりあるいはセンサの劣化の判断は、所定期間毎に行われても良く。
【００２７】
また、校正時のダストフィルタの詰まりあるいはセンサの劣化の判断は、所定期間毎に自動的に行われても良い。
Ｖ１は変換器１への測定流体ＦＬの停止用電磁弁、Ｖ２はゼロガスＰ２の停止用電磁弁、Ｖ３はスパンガスＰ２の停止用電磁弁である。
測定演算手段２１は、変換器２に設けられ、検出器１の測定値を演算変換し、測定信号Ｓを出力する。
【００２８】
以上の構成において、図２に示す如く、Ｘは前回校正時の検量線を示す。Ｙは今回校正時のケ−ス１の検量線を示す。Ｚは今回校正時のケ−ス２の検量線を示す。
Ｙ検量線はＸ検量線と比較して、ジルコニアセルのインピーダンスの増加による傾きだけの校正値の変化である。
従って、ジルコニアセルの劣化を示す事が分かる。
劣化判断手段１３により、センサの劣化と判断する。
【００２９】
次に、Ｚ検量線はＸ検量線と比較して、傾きの変化はなく、ゼロ点のドリフトによるオフセットの変化のみである。この場合、圧力の影響を受けていると見なし、ダストフィルタの詰まりであることが分かる。
詰まり判断手段１２により、ダストフィルタの詰まりと判断する。
【００３０】
警報発生手段１４は、詰まり判断手段１２あるいは劣化判断手段１３からの信号に基づき、ダストフィルタの詰まりあるいはセンサの劣化の警報を発する。
警報表示手段１５は、詰まり判断手段１２あるいは劣化判断手段１３からの信号に基づき、ダストフィルタの詰まりあるいはセンサの劣化の警報を表示する。
【００３１】
なお、校正時のダストフィルタの詰まりあるいはセンサの劣化の判断は、所定期間毎に行われる。
また、校正時のダストフィルタの詰まりあるいはセンサの劣化の判断は、所定期間毎に自動的に行われる。
【００３２】
この結果、
ダストフィルタの詰まりを検知して校正誤差を防止出来るジルコニア酸素計が得られる。
ダストフィルタの保守時期を容易に知ることが出来るジルコニア酸素計が得られる。
【００３３】
センサの劣化を検知して校正誤差を防止出来るジルコニア酸素計が得られる。
センサの保守時期を容易に知ることが出来るジルコニア酸素計が得られる。
【００３４】
ダストフィルタの詰まりあるいはセンサの劣化を検知して校正誤差を防止出来るジルコニア酸素計が得られる。
ダストフィルタとセンサの保守時期を容易に知ることが出来るジルコニア酸素計が得られる。
【００３５】
校正時のダストフィルタの詰まりあるいはセンサの劣化の判断は所定期間毎に行われるようにしたので、ダストフィルタの詰まりあるいはセンサの劣化の判断は所定期間毎に行われ、測定精度を維持出来るジルコニア酸素計が得られる。
【００３６】
校正時のダストフィルタの詰まりあるいはセンサの劣化の判断は所定期間毎に自動的に行われるようにしたので、自動的にダストフィルタの詰まりあるいはセンサの劣化の判断がおこなわれ、操作、判断の手間が省け、測定精度を維持出来るジルコニア酸素計が得られる。
【００３７】
詰まり判断手段１２あるいは劣化判断手段１３からの信号に基づき、ダストフィルタの詰まりあるいはセンサの劣化の警報を発する警報発生手段１４が設けられたので、装置を監視する必要はなく、警報により、直ちに対処し易く操作が容易なジルコニア酸素計が得られる。
【００３８】
詰まり判断手段１２あるいは劣化判断手段１３からの信号に基づき、ダストフィルタの詰まりあるいはセンサの劣化の警報を表示する警報表示手段１５が設けられたので、装置を監視する必要はなく、また、騒音の大きな環境においても、直ちに対処し易く操作が容易なジルコニア酸素計が得られる。
【図面の簡単な説明】
【００３９】
【図１】本発明の一実施例の要部構成説明図である。
【図２】図１の動作説明図である。
【図３】従来のジルコニア酸素計の一例を示す要部構成説明図である。
【符号の説明】
【００４０】
１      検出器
２      変換器
３      自動校正ユニット
１１    メモリ手段
１２    詰まり判断手段
１３    劣化判断手段
１４    警報発生手段
１５    警報表示手段
２１    測定演算手段
Ａ      比較ガス
Ｂ      校正ガス
Ｐ１    スパンガス
Ｐ２    ゼロガス
ＦＬ    測定流体
Ｓ      測定信号
Ｖ１    測定流体停止用電磁弁
Ｖ２    ゼロガス停止用電磁弁
Ｖ３    スパンガス停止用電磁弁
【図１】
2005106494.tif 000003
【図２】
2005106494.tif 000004
【図３】
2005106494.tif 000005